(57)【要約】本発明は、所謂ホワイト／グレイグッズ（ｗｈｉｔｅ／ｇｒｅｙ  ｇｏｏｄｓ）用のハウジングに関しており、殊に、家庭電化製品、例えば、モービルテレホン等のモービル機器を含む消費者エレクトロニクス製品、及び／又は、例えば、医療領域、発電領域、又は、自動車領域等の大型装置を含むマルチファンクショナルケーシングに関している。先ず、装置のカラーを変えることができるのは、既存の、殊に、種々異なるセンサ及び／又は太陽電池のようなエネルギ源を組み込むことによって可能となる可能な組合せは、特に有利である。【特許請求の範囲】
【請求項１】
ケーシングにおいて、
ケーシングは、固定基部を有していて、少なくとも部分領域内に薄膜がコーティングされており、前記薄膜は、少なくとも１つの電子構成素子が構成されるサブストレートとして使われていることを特徴とするケーシング。
【請求項２】
少なくとも１つの電子構成素子は、エレクトロクロミックカラーシステムを有する請求項１記載のケーシング。
【請求項３】
エレクトロクロミックカラーシステムは、ケーシングカラーをリバーシブルに変えるように構成されている請求項２記載のケーシング。
【請求項４】
少なくとも１つの電子構成素子は、太陽電池、光検出器等のような光起電セルを有している請求項1から3迄の何れか1記載のケーシング。
【請求項５】
少なくとも１つの電子構成素子は、センサを含む請求項１から４迄の何れか１記載のケーシング。
【請求項６】
電子構成素子は、有利には、有機材料から構成されている請求項１から５迄の何れか１記載のケーシング。
【発明の詳細な説明】
【技術分野】
【０００１】
本発明は、所謂ホワイト／グレイグッズ（ｗｈｉｔｅ／ｇｒｅｙ  ｇｏｏｄｓ）用のハウジングに関しており、殊に、家庭電化製品、例えば、モービルテレホン等の消費者エレクトロニクス製品、及び／又は、例えば、医療領域、発電領域、又は、自動車領域等の大型装置に関する。
【０００２】
交換することができるケーシングは公知であり、それにより、例えば、ケーシングのカラーエフェクトを変えて、ユーザの要求に適合させることができる。その欠点は、ケーシングを１つのカラーにしかできず、さもないと、機能を充足することができない。
【０００３】
しかし、カラーを任意に交換及び／又はファンクショナルなケーシングを作る必要性は高い。
【０００４】
本発明の課題は、複数機能を充足し、且つ、固定部分の交換なしにカラーをチェンジすることができるケーシングを提供することにある。
【０００５】
この課題は、本発明によると、ケーシングは、固定基部を有していて、少なくとも部分領域内に薄膜がコーティングされており、前記薄膜は、少なくとも１つの電子構成素子が構成されるサブストレートとして使われているようにして解決される。
【０００６】
１実施例によると、電子構成素子は、電気化学セルであり、その際、色素のドーピングにより、電気化学構成素子のカラーを変化させることができる。その際、通常のように、電極、各々のエレクトロクロミック色素、電解質、及び、対向電極を有する電気化学セルの構造が使われ、その際、電解質の損失を回避するために、両電極間をカプセル封入することが重要である。エレクトロクロミック色素のドーピングは、電圧印加によって行われ、そうすることによって、電解質のイオンを色素内に拡散させ、これを酸化又は還元するようにされる。ケーシングを、そのようなエレクトロクロミック薄膜でコーティングすると、低い電圧を印加することによって、ケーシングのカラーを変えることができる。このカラーの変化は、有利には、リバーシブルである。
【０００７】
別の実施例によると、電子構成素子は、太陽電池のような光起電セルである。殊に、有機又は少なくとも有利には、有機材料から形成された太陽電池を用いるとよい。つまり、太陽電池は、周囲光が弱くても、エレクトロクロミックカラーをスイッチングするために、十分な電力を給電するからである。
【０００８】
他の実施例によると、電子構成素子は、例えば、光検出器であり、この光検出器は、周囲環境光（強度及び／又はカラー）を検出することができ、薄膜のカラーを周囲環境条件に応じて切り換えることができ、従って、ケーシングのコーティング部分のカラーを周囲環境条件に応じて切り換えることができる。
【０００９】
別の実施例によると、種々異なるセンサ装置を有する電気構成素子を、薄膜上にコーティングするとよい。従って、ガスセンサ、温度センサ、湿度センサ、及び／又は、別のセンサを使用して、ケーシングを介して、種々異なる周囲環境条件に関する情報を提供することができる。つまり、将来、ケーシングから、ケーシングがある実際の周囲環境状況を読み出すことができるようになるからである。これは、殊に、放射線（紫外線、X線、放射線）及び／又は空気（オゾン）用、及び／又は、センサを用いて検出可能な他の負荷に用いられる。
【００１０】
使用されるエレクトロクロミックカラーシステムの例として、以下の化合物を挙げることができる；ポリアニリン（ＰＡＮＩ）、ＰＥＤＯＴ、又は、その誘導体、ビオロゲン（ｖｉｏｌｏｇｅｎｅ）又は別の複合ポリマー又はその色状態を酸化又は還元時に変化する分子カラーシステム。
【００１１】
ケーシングの固体基部は、これまで一般的に、そのようなケーシングに一般的な、ＰＶＣ，ＰＥ等のプラスチック製である。
【００１２】
「ケーシング」とは、ここでは、伝統的にケーシングと言われている部材のみならず、衣料品及び／又は車両等の部材も指すものとする。有利なケーシングは、テレホン、殊に、モービルテレホン、ウォークマン装置、ヘルメット、自転車パーツ薄板、自動車シャーシ等である。
【００１３】
電子構成素子用のサブストレートとして使われる薄板は、有利には、例えば、ＰＥＴ，ＰＭＭＡ，ＰＣ及びポリイミドのようなフレキシブル薄膜である。
【００１４】
電子構成部品は、有利には、「有機材料」から優位に構成されたような構成部品であり、その際、技術概念「有機材料」、又は「ファンクショナルポリマー」又は「ポリマー」は、ここでは、有機、金属有機及び／又は有機−非有機合成樹脂（ハイブリッド）、殊に、英語で例えば”ｐｌａｓｔｉｃｓ”と呼ばれるものを含む。古典的なダイオード（ゲルマニウム、シリコン）を形成する半導体を除外した全ての種類の材料及び典型的な金属導体が用いられる。従って、炭素含有材料としての有機材料という独断的な意味に限定されず、寧ろ、例えば、シリコンを広範囲に使用してもよい。更に、用語は、分子の大きさに関して限定するものではなく、殊に、ポリマー及び／又はオリゴマー材料に限定されるものではなく、寧ろ、”ｓｍａｌｌ  ｍｏｌｅｃｕｌｅｓ”（「小さな分子」）を用いることも全く可能である。”ｆｕｎｃｔｉｏｎａｌ  ｐｏｌｙｍｅｒ”での単語の構成要素”ｐｏｌｙｍｅｒ”は、ヒストリックであって、その限りで、実際のポリマー化合物があることについて示すものではない。ファンクショナルポリマーとして、半導体材料及び／又は絶縁材料を用いることができる。
【００１５】
有利には、有機材料から形成された電子構成素子は、一般的にフレキシブルサブストレート上に構成してもよい。導体、半導体、絶縁体、放射層、光起電活性層等のような個別機能層は、主に有機材料製である。有機材料の可溶性によって、この構成素子は、印刷及び／又は簡単なロールツーロール方法によって製造可能である。
【００１６】
本発明によると、最初に、ケーシングを、装置の機能に一緒に組込み、即ち、ケーシングの形態及び作用によって、付加的に経済的な値で製造することができる。その際、ケーシングのカラーを変えることができる点だけでも改善点であるが、種々異なるセンサ及び／又は太陽電池のようなエネルギ源によって可能となる組合せも特に有利である。
【国際調査報告】
2005537675.tif 000002
2005537675.tif 000003
2005537675.tif 000004
2005537675.tif 000005
2005537675.tif 000006
2005537675.tif 000007